(57)【要約】      （修正有）【課題】被介護者を安全的且つ効果的に介護することができる、価格優位性、シンプルな構造、優れた操作効率、及び支障なく移動可能な特徴を備えた、車椅子安全ベル装置を提供する。【解決手段】車椅子安全ベル装置１００は車椅子１１０、少なくとも一つの肘掛け１２０、圧力感知シートクッション１３０及び安全ベル発生機器１４０を含み、車椅子はシートクッション１１１を備え、肘掛けは車椅子に固定されており、圧力感知シートクッションは車椅子のシートクッション上に置かれており、安全ベル発生機器は圧力感知シートクッションと電気接続されており、且つ安全ベル発生機器は移動可能で固定パーツによって肘掛けの側面に固定することができ、この仕組みにより、使用者が離席した際に、圧力感知シートクッションは圧力を失うことによって、起動信号を生成し、更に安全ベル発生機器が警告信号を発し、介護者に通知する。【選択図】図１
0003234662.tif 000002
【実用新案登録請求の範囲】
【請求項１】
一種の車椅子安全ベル装置であり、車椅子、少なくとも一つの肘掛け、圧力感知シートクッション及び安全ベル発生機器を含み、
前記車椅子はシートクッションを備え、
前記少なくとも一つの肘掛けは前記車椅子に固定されており、
前記圧力感知シートクッションは前記車椅子のシートクッション上に置かれており、
前記安全ベル発生機器は前記圧力感知シートクッションと電気接続されており、且つ前記安全ベル発生機器は移動可能で固定パーツによって前記少なくとも一つの肘掛けの側面に固定することができ、其の中で使用者が離席した際に、前記圧力感知シートクッションは圧力を失うことによって、起動信号を生成し、更に前記安全ベル発生機器が警告信号を発し、介護者に通知することを特徴とする車椅子安全ベル装置。
【請求項２】
前記使用者が離席するとは、前記使用者が前記車椅子から立つ或いは滑り落ちる、ことを意味することを特徴とする請求項１に記載の車椅子安全ベル装置。
【請求項３】
前記警告信号はベルの音楽或いは他の警告音であることを特徴とする請求項１に記載の車椅子安全ベル装置。
【請求項４】
前記安全ベル発生機器と前記圧力感知シートクッションは接続線により電気接続されており、前記接続線の中間部位は電話線の雌雄同体コネクタによって相互に接続されていることを特徴とする請求項１に記載の車椅子安全ベル装置。
【請求項５】
前記安全ベル発生機器は警告信号出口、警告信号停止ボタン、緊急ボタン、電源確認ランプ、及び電源スイッチを含み、前記警告信号出口は前記警告信号を発するのに用いられ、前記警告信号停止ボタンは前記警告信号を止めるのに用いられ、前記緊急ボタンはボタンを押すと前記警告信号を発して介護者に協力するよう通知することができ、前記電源確認ランプでは電源が入ったときに確認ライトが点灯することを特徴とする請求項３に記載の車椅子安全ベル装置。
【請求項６】
前記安全ベル発生機器は、更に音量大小スイッチを含むことを特徴とする請求項５に記載の車椅子安全ベル装置。
【請求項７】
前記固定パーツは、面ファスナー或いは雌雄同体嵌め合いパーツであることを特徴とする請求項１に記載の車椅子安全ベル装置。
【請求項８】
前記安全ベル発生機器の電源は乾電池であり、車椅子が移動するのに適していることを特徴とする請求項１に記載の車椅子安全ベル装置。 
【考案の詳細な説明】
【技術分野】
【０００１】
本考案は一種の車椅子安全ベル装置に関するものであり、車椅子に座っている被介護者が車椅子から離れたり或いは車椅子から落ちたりしたときに警告のベルを鳴らして、介護者に通知して即時救援できるようにするためのものである。
【背景技術】
【０００２】
現在、車椅子使用者介護のニーズによる、警告機能を備えた車椅子設備は、高額、警告効率の悪さ、構造の複雑性、或いは有線電源の使用による機動性の悪さ等の問題を抱えていることが多い。従って、一種の車椅子安全ベル装置を提供して、上記の問題を一挙に解決できれば、車椅子に座る必要のある被介護者にとって大きな恩恵となる。
【考案の概要】
【考案が解決しようとする課題】
【０００３】
本考案の目的は、被介護者を安全的且つ効果的に介護することができる、価格優位性、シンプルな構造、優れた操作効率、及び支障なく移動可能な特徴を備えた、一種の車椅子安全ベル装置を提供することである。
【０００４】
本考案の一種の車椅子安全ベル装置は車椅子、少なくとも一つの肘掛け、圧力感知シートクッション及び安全ベル発生機器を含み、車椅子はシートクッションを備え、少なくとも一つの肘掛けは前記車椅子に固定されており、圧力感知シートクッションは前記車椅子のシートクッション上に置かれており、安全ベル発生機器は前記圧力感知シートクッションと電気接続されており、且つ安全ベル発生機器は移動可能で固定パーツによって少なくとも一つの肘掛けの側面に固定することができ、其の中で使用者が離席した際に、前記圧力感知シートクッションは圧力を失うことによって、起動信号を生成し、更に前記安全ベル発生機器が警告信号を発し、介護者に通知する。
【課題を解決するための手段】
【０００５】
本考案の設計は、以下の特徴を備える。
１、其の安全ベル発生機器は車椅子スリップの警告機能を備えており、被介護者が転んだ際に、圧力感知シートクッションは圧力を失い、ベルの音楽を発し、介護者に知らせる。その他、市場に出回っている一般的なシートクッションは高額であり、本考案が設計した特別な圧力シートクッションは、市場の圧力シートクッションと類似しているが、価格は市場価格の５０％であり、大幅にコスト削減できる。
２、本考案の車椅子安全ベル発生機器は介護者を呼ぶボタンがあり、車椅子使用者（被介護者）が介護者の協力を必要とするときに（例えばトイレ或いは助けが必要なとき）、呼び出しベルのボタンを押して介護者に知らせることで、介護者の効率を増すことができる。
３、本考案の車椅子安全ベル発生機器は固定パーツである面ファスナーにより、車椅子の肘掛けに固定させることができ、面ファスナーは各種の車椅子の肘掛けに固定することができるので、本考案の車椅子安全ベル発生機器は各種の車椅子に適用することができる。
４、車椅子安全ベル発生機器の消費電流は低く設計されており、電源は乾電池を使用しており、車椅子の移動にも便利であり、一ペアの乾電池で約１年間使用できる。
【図面の簡単な説明】
【０００６】
【図１】本考案の一種の車椅子安全ベル装置の概略図である。
【図２】本考案の一種の車椅子安全ベル装置の安全ベル発生機器の概略図である。
【考案を実施するための形態】
【０００７】
図１が示すように、本考案の一種の車椅子安全ベル装置１００は車椅子１１０、少なくとも一つの肘掛け１２０、圧力感知シートクッション１３０及び安全ベル発生機器１４０を含み、車椅子１１０はシートクッション１１１を備え、少なくとも一つの肘掛け１２０は前記車椅子１１０に固定されており、圧力感知シートクッション１３０は前記車椅子１１０のシートクッション１１１上に置かれており、安全ベル発生機器１４０は前記圧力感知シートクッション１３０と電気接続されており、且つ安全ベル発生機器１４０は移動可能で固定パーツ１５０によって少なくとも一つの肘掛け１２０の側面に固定することができ、其の中で使用者が離席した際に、前記圧力感知シートクッションは圧力を失うことによって、起動信号を生成し、更に前記安全ベル発生機器が警告信号を発し、介護者に通知する。本考案の車椅子安全ベル装置において、前記使用者が離席するとは、前記使用者が前記車椅子から立つ或いは滑り落ちる、ことを意味する。
【０００８】
本考案の車椅子安全ベル装置１００において、前記警告信号はベルの音楽或いは他の警告音である。
【０００９】
本考案の車椅子安全ベル装置１００において、其の中で、前記安全ベル発生機器１４０と前記圧力感知シートクッション１３０は接続線１６０により電気接続されており、前記接続線の中間部位は電話線の雌雄同体コネクタ（図示せず）によって相互に接続されている。
【００１０】
図２が示すように、本考案の車椅子安全ベル装置１００において、前記安全ベル発生機器１４０は警告信号出口１４１、警告信号停止ボタン１４２、緊急ボタン１４３、電源確認ランプ１４４、及び電源スイッチ１４５を含み、前記警告信号出口１４１は前記警告信号を発するのに用いられ、前記警告信号停止ボタン１４２は前記警告信号を止めるのに用いられ、前記緊急ボタン１４３はボタンを押すと前記警告信号を発して介護者に協力するよう通知することができ、前記電源確認ランプ１４４では電源が入ったときに確認ライトが点灯する。又、前記安全ベル発生機器１４０は、更に音量大小スイッチ１４６を含む。その他、前記安全ベル発生機器の電源は乾電池であり、車椅子が全方位に支障なく、移動するのに適している。
【００１１】
その他、本考案の車椅子安全ベル装置１００において、前記固定パーツ１５０は、面ファスナー或いは雌雄同体嵌め合いパーツである（図示せず）。
【符号の説明】
【００１２】
１００          車椅子安全ベル装置
１１０          車椅子
１１１          シートクッション
１２０          少なくとも一つの肘掛け
１３０          圧力感知シートクッション
１４０          安全ベル発生機器
１５０          固定パーツ
１６０          接続線
１４１          警告信号出口
１４２          警告信号停止ボタン
１４３          緊急ボタン
１４４          電源確認ランプ
１４５          電源スイッチ
１４６          音量大小スイッチ
【図１】
0003234662.tif 000003
【図２】
0003234662.tif 000004